(57)【要約】【課題】無駄がなく適切な大きさの電極を、よく密着して貼り付けることができる電極パッドを提供することを目的とする。【解決手段】柔軟な材質の絶縁シート（１０）の中央部に細いくびれ部（１０ａ）を形成し、くびれ部を介して二つの主要部（１０ｂ、１０ｃ）が一体的に接続した形状とする。各主要部の裏側には２枚の導電性の電極シート（１３、１４）を貼り、両電極シート間をくびれ部により電気的に絶縁した状態で、各電極シートの上を電導性粘着ゲル層（１７、１８）で被覆する。これらの電極シートにはEMS電流を印加すべき給電端子（１５、１６）の先端を絶縁シートを貫いてその表側に突出する。電極シートの一方（１３）は横長楕円形に形成し、他方（１４）は丸形に形成する。また、主要部にはスリット（２０〜２３）を形成する。【選択図】図２
2008264088.tif 000002
【特許請求の範囲】
【請求項１】
柔軟な材質の絶縁シートの中央部に細いくびれ部を形成し、くびれ部を介して二つの主要部が一体的に接続した形状とし、各主要部の裏側に2枚の導電性の電極シートを貼り、両電極シート間をくびれ部により電気的に絶縁した状態で、各電極シートの上を電導性粘着ゲル層で被覆し、これらの電極シートにEMS電流を印加すべき給電端子の先端を絶縁シートを貫いてその表側に突出して成る電極パッド。
【請求項２】
前記電極シートの一方を横長楕円形に形成し、他方を丸形に形成したことを特徴とする請求項１記載の電極パッド。
【請求項３】
前記主要部にスリットを形成したことを特徴とする請求項１記載の電極パッド。
【発明の詳細な説明】
【技術分野】
【０００１】
本発明は、皮膚に貼り付けて使用し、人体に微弱な電流を流すための可撓性の電極パッドに関する。
【背景技術】
【０００２】
皮膚に貼り付けて使用される可撓性の電極としては、低周波治療器の電極、心電図や脳波等の検査用電極、イオントフォレシス用の電極などが知られている。このような電極は皮膚に貼り付けられるため、皮膚の凹凸や皮脂などにより剥がれ落ちやすい。
【０００３】
皮膚への貼付性能や密着性を向上させた電極として特許文献１が知られている。この特許文献１に記載の電気治療用電極パッドは、電導性の可撓シートと非電導性の可撓シートとを重ねて全体を十文字形状としたものであり、このような十文字型の電気治療用電極パッドは、ひざやひじなどに巻き回すことにより好適に密着して取り付けることができる。
【０００４】
しかし、面状の部位に貼り付けたときの密着性は必ずしも好適なものではなかった。また、巻き回すための長さが必要となるため、電極が大きなものになってしまうという問題があった。
【特許文献１】特開２００１-２９９９３７号公報
【発明の開示】
【発明が解決しようとする課題】
【０００５】
本発明は、無駄がなく適切な大きさの電極を、よく密着して貼り付けることができる電極パッドを提供することを目的とする。
【課題を解決するための手段】
【０００６】
前記課題を解決するために、請求項１記載の電極パッドは、柔軟な材質の絶縁シートの中央部に細いくびれ部を形成し、くびれ部を介して二つの主要部が一体的に接続した形状とし、各主要部の裏側に2枚の導電性の電極シートを貼り、両電極シート間をくびれ部により電気的に絶縁した状態で、各電極シートの上を電導性粘着ゲル層で被覆し、これらの電極シートにEMS電流を印加すべき給電端子の先端を絶縁シートを貫いてその表側に突出して成る。
また、請求項２記載の電極パッドは、前記電極シートの一方を横長楕円形に形成し、他方を丸形に形成したことを特徴とする。
また、請求項３記載の電極パッドは、前記主要部にスリットを形成したことを特徴とする。
【発明の効果】
【０００７】
本発明の電極パッドによれば、絶縁シートを、中央部に細いくびれ部を形成し、くびれ部を介して二つの主要部を一体的に形成していることにより、電極パッドを皮膚に貼り付けて給電端子よりＥＭＳ電流を印加して筋肉を収縮させても、筋肉の収縮の妨げとなることがなく、また皮膚の動きにつれて電極パッドが浮きあがらず、よく密着して剥がれ落ちにくい。
【０００８】
また、２つの電極を細いくびれ部を介して一体的に形成していることにより、２枚の電極を扱うよりも取り扱いやすいと共に、２つの電極はくびれ部を介して絶縁され、短絡することがない。
【０００９】
また、電極シートの一方を横長楕円形に形成し、他方を丸形に形成したことにより、横長楕円形の一方の電極シートは目元や口元に好適に貼り付けられると共に丸形の他方の電極シートは頬に好適に貼り付けられて、目元や口元などのしわの生じやすい箇所を好適にトリートメントすることができる。
【００１０】
また、前記主要部にスリットを形成したことにより、筋肉の収縮に伴う皮膚の動きをスリットがよく吸収して、皮膚の動きにつれて浮きが生じることがなく、よく密着して剥がれ落ちにくい。
【発明を実施するための最良の形態】
【００１１】
本発明に係る電極パッドについて、図１乃至図６を参照して説明する。図１は、本発明に係る電極パッドの断面図であり、図２は、電極パッドの裏面を示す図である。
【００１２】
電極パッド１は、図１に断面図で示すように、１枚の絶縁シート１０の裏面に電極部１１、１２を形成してなる。電極部１１、１２は、絶縁シート１０の裏面に電極シート１３、１４を設けると共に、両電極シート１３、１４をそれぞれ電導性の粘着ゲル層１７、１８で覆って形成している。また、両電極シート１３、１４とそれぞれ電気的に接続した端子１５、１６を絶縁シート１０の表面側に突設する。
【００１３】
絶縁シート１０はくびれ部１０ａによって二つの主要部１０ｂ、１０ｃを一体的に接続した瓢箪型に形成されており、このくびれ部１０ａを挟んで一方の主要部１０ｂに第１の電極部１１を形成し、他方の主要部１０ｃに第２の電極部１２を形成する。くびれ部１０ａを挟むことにより、二つの電極部１１、１２を一枚に形成すると共に両電極部１１、１２を互いに絶縁している。
【００１４】
本実施形態の絶縁シート１０としては、例えば顔に貼付けるために使用するものは、図２において縦方向の全長が約８０ｍｍ、第１の電極部１１の横方向の全幅が約７０ｍｍ、第２の電極部１２の横方向が全長約５０ｍｍの大きさに形成するとよい。
【００１５】
絶縁シート１０の材質としては、厚さが０．１〜０．７ｍｍ程度の不織布や軟質の合成樹脂シートなどが使用される。例えば、厚さが０．５ｍｍ程度の不織布は十分な強度を備えると共に適度な柔軟性を有し、皮膚の動きに追従して剥がれにくい。
【００１６】
絶縁シート１０の裏面に形成された電極シート１３、１４は、カーボン粉末やグラファイト粉末などを含有する電導性の樹脂材、電導性を有するフィルムや塗料、金属粉末を含有するペースト材などにより形成される。
【００１７】
端子１５、１６は、それぞれピン１５ａ、１６ａと鍔１５ｂ、１６ｂを有しており、絶縁シート１０に形成した通孔１０ｂにピン１５ａ、１６ａを裏面側から挿通して、絶縁シート１０の表面側にピン１５ａ、１６ａを突出させ、鍔１５ｂ、１６ｂとその周囲の電極シート１３、１４に電導性の粘着フィルム１５ｃ、１６ｃを貼付けて固定する。
【００１８】
鍔１５ｂ、１６ｂは、ピン１５ａ、１６ａの抜け止め作用に加え、絶縁シート１０の裏面に形成した電極シート１３、１４と端子１５、１６との電気的接続を確保する作用を備えている。この給電端子１５、１６は黄銅などの金属により形成する。
【００１９】
この電極シート１３、１４を覆うように電導性の粘着ゲル層１７、１８を被覆して電極部１１、１２を形成する。本実施形態において、第１の電極部１１は帯状で弧状に湾曲した形状に形成している。また、第２の電極部１２は略丸形に形成している。
【００２０】
絶縁シート１０の主要部１０ｂ、１０ｃと第１の電極部１１及び第２の電極部１２の、図２において左右方向略中央に、それぞれ縦方向にスリット２０、２１を形成する。また、絶縁シート１０のくびれ部１０ａの第２の電極部１２の側にも左右に一対のスリット２２、２３を形成する。
【００２１】
このスリット２０、２１は、例えば電極パッド１が上記した全長８０ｍｍ、全幅７０ｍｍの大きさの場合、１０〜１５ｍｍの長さに形成するとよい。また、スリット２２、２３は、絶縁シート１０の外縁から略丸形の第２の電極部１２のほぼ中央に向かって５〜１０ｍｍの長さに形成するとよい。
【００２２】
スリットは、上記した位置だけでなく、例えば図２において第２の電極の左右側縁に、主要部１０ｃの外周から丸形の第２の電極部１２の略中央に向かって形成してもよい。また、くびれ部１０ａの第１の電極部１１の側にスリットを形成してもよい。
【００２３】
次に、電極パッドに取り付けるＥＭＳ本体について図３及び図４を参照して説明する。図３はＥＭＳ本体を裏面から見た斜視図であり、図４はＥＭＳ本体を正面から見た斜視図である。
【００２４】
ＥＭＳ本体３の裏面には一対のホック端子３０、３１が設けられている。このホック端子３０、３１を電極パッド１の給電端子１５、１６に係合してＥＭＳ本体３と電極パッド１とを電気的に接続する。また、ＥＭＳ本体３の裏面には電池収容部３２が形成されており、キャップ３３を開閉してこの電池収容部３２に不図示の小型のボタン電池を収容して電源となす。
【００２５】
ＥＭＳ本体３の表面には２つのボタンスイッチ３４、３５からなる操作部３６が設けられている。図４において奥側のボタンスイッチ３４は電源スイッチを兼ねるＤＯＷＮスイッチで、スイッチを押すことにより電流の出力レベルを１段階下げることができると共に、長押しすることにより電源のオンオフ操作が行える。
【００２６】
手前側のボタンスイッチ３５は動作モードの変更スイッチを兼ねるＵＰスイッチで、スイッチを押すことにより出力レベルを１段階上げることができると共に、長押しすることにより動作モードの変更操作が行える。ＥＭＳ本体３の電源のオンオフの状態や動作モードの状態はＬＥＤ３７の点滅によって表示する。
【００２７】
本実施形態のＥＭＳ本体３は長円形に形成されており、厚さが１０ｍｍ程度、長径方向の長さが４０ｍｍ程度、短径方向の長さが２０ｍｍ程度である。この小型のＥＭＳ本体３を電極パッド１に取り付けた状態で、適用したい箇所に電極パッド１を貼り付けて使用する。
【００２８】
次に、本発明に係る電極パッド１の使用態様について、図５及び図６を参照して説明する。図５及び図６は、電極パッドを顔に適用した状態を示す斜視図である。
【００２９】
本発明に係る電極パッド１を使用する際には、まず、電極パッド１の給電端子１５、１６のピン１５ａ、１６ａにＥＭＳ本体３のホック端子３０、３１を係合して、ＥＭＳ本体３と電極パッド１とを電気的に接続する。
【００３０】
電極パッド１の第１の電極部１１は弧状に湾曲した形状に形成されており、図５に示すように、この第１の電極部１１を目下に沿って貼り付ける。電極パッド１をこのように貼り付けてＥＭＳ本体３の電源を入れると、電極パッド１を介して微弱な電流を皮膚に流すと、電流により筋肉が刺激をうけて収縮運動を始める。図５に示すように電極パッド１を取り付けることにより、眼輪筋や頬骨筋を刺激することができる。
【００３１】
眼輪筋を刺激することにより、目元のシワの発生を抑えると共にシワを軽減させる。また、頬骨筋を刺激することにより頬のたるみをとり、シワの発生を抑える。
【００３２】
電極パッド１は、図６に示すように、第１の電極部１１を口元のほうれい線に沿って貼り付けてもよい。このように電極パッド１を取り付けることにより、口輪筋や頬骨筋を刺激することができる。口輪筋を刺激することにより、口元のシワの発生を抑えると共にシワを軽減させる。また、口輪筋と共に頬骨筋を刺激することにより頬のたるみをとり、ほうれい線が深くなるのを抑える。
【００３３】
上記のごとく構成した電極パッド１は、以下に述べる効果を奏する。
【００３４】
本発明に係る電極パッドによれば、両電極部を絶縁シートのくびれ部を挟んで配置すると共に当該くびれ部と両電極部のそれぞれにスリットを形成したことにより、このくびれ部とスリットとにより皮膚の凹凸を十分に吸収することができて、起伏のある皮膚表面に電極パッドを貼り付けても浮きがなく、よく密着して剥がれ落ちにくい。
【００３５】
また、ＥＭＳの作動中に皮膚が微動しても、スリットとくびれ部とにより皮膚の微動を十分に吸収して電極パッドが浮くことがなく、十分な密着性を保つことができるため剥がれ落ちにくい。
【００３６】
また、二つの電極を一枚の絶縁シート上に形成していることにより、二枚の電極を扱うよりも取り扱い易く、また確実に絶縁状態を保つことができる。
【００３７】
また、第１の電極部を帯状に形成すると共に、両端部を外向きに突き出して弧状に湾曲したことにより、目元及び口元に特に好適に使用可能な電極パッドとなる。そして、スリットやくびれ部により十分な密着性を有しているため、顔のように皮脂が多く、また皮膚が動きやすい部分に貼り付けても剥がれ落ちることがない。
【００３８】
上記した実施形態のごとく、小型のＥＭＳ本体を電極パッドに直接取り付けて使用しても電極パッドが十分に皮膚に密着して強固に貼り付けられ剥がれ落ちることがなく、小型のＥＭＳ本体を電極パッドに直接取り付けて使用可能であることにより、ＥＭＳ本体と電極パッドとを電気的に接続するリード線等が不要なため、このようなリード線の取り回しの不便さがなく、電極パッドを貼り付けてマッサージ等を行いながら、家事やエクササイズのための運動などの他の作業を行っても邪魔になることがない。
【図面の簡単な説明】
【００３９】
【図１】本発明に係る電極パッドの断面図である。
【図２】本発明に係る電極パッドの裏面を示す図である。
【図３】電極パッドに取り付けて使用するＥＭＳ本体を裏面から見た斜視図である。
【図４】電極パッドに取り付けて使用するＥＭＳ本体を正面から見た斜視図である。
【図５】電極パッドを顔に適用した使用状態を示す図である。
【図６】電極パッドを顔に適用した別の使用状態を示す図である。
【符号の説明】
【００４０】
１      電極パッド
１０    絶縁シート
１０ａ  くびれ部
１１    第１の電極部
１２    第２の電極部
１３    第１の電極シート
１４    第２の電極シート
１５    第１の給電端子
１５ａ  ピン
１５ｂ  鍔
１６    第２の給電端子
１６ａ  ピン
１６ｂ  鍔
１７、１８  電導性粘着ゲル層
２０〜２３  スリット
３      ＥＭＳ本体
３０、３１  ホック端子
３２    電池収容部
３３    キャップ
３４、３５  ボタンスイッチ
３６    操作部
３７    ＬＥＤ
【図１】
2008264088.tif 000003
【図２】
2008264088.tif 000004
【図３】
2008264088.tif 000005
【図４】
2008264088.tif 000006
【図５】
2008264088.tif 000007
【図６】
2008264088.tif 000008